(57)【特許請求の範囲】
【請求項１】
リモートコントローラであって、
操作に応じたコマンドをエアコンディショナに送信するエアコンディショナ制御部と、
画像を表示する表示部と、
記憶されたエアコンディショナ関連情報に基づいてユーザごとの過去の一定期間における消費電力量を統計し、統計された消費電力量に基づいてユーザに順位を付与するサーバと通信を行うサーバ対応通信部と、
前記リモートコントローラのユーザとエアコンディショナの使用に関連するエアコンディショナ関連情報の共有が許可されている他のユーザの共有エアコンディショナ関連情報を前記サーバから受信する共有情報受信部と、
受信した前記共有エアコンディショナ関連情報を前記表示部に表示させる表示制御部と、
を備えることを特徴とするリモートコントローラ。
【請求項２】
前記共有情報受信部は、前記共有エアコンディショナ関連情報の要求をユーザの操作に応じて送信する、
請求項１に記載のリモートコントローラ。
【請求項３】
前記共有情報受信部は、前記共有エアコンディショナ関連情報の要求を一定時間ごとに送信する、
請求項１に記載のリモートコントローラ。
【請求項４】
エアコンディショナ関連情報を記憶する記憶部と、
前記記憶部が記憶するエアコンディショナ関連情報のうちから、リモートコントローラのユーザとのエアコンディショナ関連情報の共有を許可することが登録されている他のユーザのエアコンディショナ関連情報を前記リモートコントローラに対して送信する共有情報送信部とを備え、
前記記憶部に記憶されたエアコンディショナ関連情報に基づいてユーザごとの過去の一定期間における消費電力量を統計し、統計された消費電力量に基づいてユーザに順位を付与する
ことを特徴とするサーバ。
【請求項５】
前記エアコンディショナ関連情報を形成する情報要素として、エアコンディショナの設置環境における室温が含まれる
請求項４に記載のサーバ。
【請求項６】
前記エアコンディショナ関連情報を形成する情報要素として、エアコンディショナの設置環境における空気清浄度が含まれる
請求項４または５に記載のサーバ。
【請求項７】
前記エアコンディショナ関連情報を形成する情報要素として、エアコンディショナの連続作動時間が含まれる、
請求項４から６のいずれか一項に記載のサーバ。
【請求項８】
前記共有情報送信部は、前記リモートコントローラから送信された共有エアコンディショナ関連情報の要求に応答して、前記エアコンディショナ関連情報を送信する、
請求項４から７のいずれか一項に記載のサーバ。
【請求項９】
前記共有情報送信部は、一定時間ごとに前記エアコンディショナ関連情報を送信する、
請求項４から７のいずれか一項に記載のサーバ。
【請求項１０】
リモートコントローラとしてのコンピュータを、
操作に応じたコマンドをエアコンディショナに送信するエアコンディショナ制御部、
記憶されたエアコンディショナ関連情報に基づいてユーザごとの過去の一定期間における消費電力量を統計し、統計された消費電力量に基づいてユーザに順位を付与するサーバと通信を行うサーバ対応通信部、
前記リモートコントローラのユーザとエアコンディショナの使用に関連するエアコンディショナ関連情報の共有が許可されている他のユーザの共有エアコンディショナ関連情報を前記サーバから受信する共有情報受信部、
受信した前記共有エアコンディショナ関連情報を、画像を表示する表示部に表示させる表示制御部、
として機能させるためのプログラム。
【請求項１１】
エアコンディショナ関連情報を記憶部に記憶させる記憶ステップと、
前記記憶部が記憶するエアコンディショナ関連情報のうちから、リモートコントローラのユーザとのエアコンディショナ関連情報の共有を許可することが登録されている他のユーザのエアコンディショナ関連情報を前記リモートコントローラに対して送信する共有情報送信ステップとを備え、
前記記憶部に記憶されたエアコンディショナ関連情報に基づいてユーザごとの過去の一定期間における消費電力量を統計し、統計された消費電力量に基づいてユーザに順位を付与する
ことを特徴とする情報処理方法。
【発明の詳細な説明】
【技術分野】
【０００１】
本発明は、リモートコントローラ、サーバ、プログラム及び情報処理方法に関する。
【背景技術】
【０００２】
ネットワークシステムとして、以下のものが知られている。つまり、所定の地域内に分散設置された、セキュリティ管理システム、ビル管理システム、施設運営管理システム、駐車場管理システム、情報端末等の複数の機能別情報処理システムを、双方向送受信自在に信号フレームを標準フォーマット化するゲートウェイを介して開放型ＬＡＮにより相互接続するというものである（例えば、特許文献１参照）。これにより、地域における複数のビル群の間で情報交換が図られる。
【先行技術文献】
【特許文献】
【０００３】
【特許文献１】特開平１０−２８５２０１号公報
【発明の概要】
【発明が解決しようとする課題】
【０００４】
最近では、ビルなどの施設だけではなく、家庭内においても節電の意識が高まってきている。家庭内において多くの電力を消費する電子機器の１つがエアコンディショナであり、一般の個人ユーザにとっては、エアコンディショナでいかに節電を図るかということについての関心が高い。
【０００５】
エアコンディショナを節電しながら運転させようとするにあたり、例えば、自分以外のユーザがどのようにエアコンディショナを設定して運転させているのかを知ることは有用である。そこで、家族や友人などの個人ユーザの間でエアコンディショナに対する冷房、暖房、除湿などの運転種別や温度設定などのエアコンディショナの使用に関連した情報を共有できるようにすれば、各ユーザが他のユーザの設定内容を知ることが可能となる。
【０００６】
また、一人暮らしの世帯を中心に、互いに無事に生活しているかどうかをできるだけ負担無く確認したいという要望があり、そこで、エアコンディショナの履歴を活用し、利用履歴の情報を共有できるようにすれば、相手の無事を確認することが可能となる。
【０００７】
しかし、現状において、上記のようにエアコンディショナの設定内容などを共有するためのネットワークシステムは存在していない。特許文献１に記載の構成の場合は、あくまでもオフィスやマンションなどのビルの間で中央管理により情報共有を行うというものであり、しかも、空調についての一行記載があるに過ぎず、個人ユーザにエアコンディショナの設定内容などを提供するものではない。また、特許文献１のネットワークシステムでは、ユーザが他のユーザの設定内容を知ることができないという欠点がある。
【０００８】
本発明は、このような事情に鑑みてなされたもので、その目的は、個人ユーザ間でエアコンディショナの使用に関する情報を共有可能なリモートコントローラ、サーバ、プログラム及び情報処理方法を提供することにある。
【課題を解決するための手段】
【０００９】
上述した課題を解決するために、本発明の一態様は、リモートコントローラであって、操作に応じたコマンドをエアコンディショナに送信するエアコンディショナ制御部と、画像を表示する表示部と、サーバと通信を行うサーバ対応通信部と、前記リモートコントローラのユーザとエアコンディショナの使用に関連するエアコンディショナ関連情報の共有が許可されている他のユーザの共有エアコンディショナ関連情報を前記サーバから受信する共有情報受信部と、受信した前記共有エアコンディショナ関連情報を前記表示部に表示させる表示制御部とを備えることを特徴とするリモートコントローラである。
【００１０】
また、本発明の一態様は、エアコンディショナ関連情報を記憶する記憶部と、前記記憶部が記憶するエアコンディショナ関連情報のうちから、リモートコントローラのユーザとのエアコンディショナ関連情報の共有を許可することが登録されている他のユーザのエアコンディショナ関連情報を前記リモートコントローラに対して送信する共有情報送信部とを備えることを特徴とするサーバである。
【００１１】
また、本発明の一態様は、リモートコントローラとしてのコンピュータを、操作に応じたコマンドをエアコンディショナに送信するエアコンディショナ制御部、サーバと通信を行うサーバ対応通信部、前記リモートコントローラのユーザとエアコンディショナの使用に関連するエアコンディショナ関連情報の共有が許可されている他のユーザの共有エアコンディショナ関連情報を前記サーバから受信する共有情報受信部、受信した前記共有エアコンディショナ関連情報を、画像を表示する表示部に表示させる表示制御部として機能させるためのプログラムである。
【００１２】
また、本発明の一態様は、エアコンディショナ関連情報を記憶部に記憶させる記憶ステップと、前記記憶部が記憶するエアコンディショナ関連情報のうちから、リモートコントローラのユーザとのエアコンディショナ関連情報の共有を許可することが登録されている他のユーザのエアコンディショナ関連情報を前記リモートコントローラに対して送信する共有情報送信ステップとを備えることを特徴とする情報処理方法である。
【発明の効果】
【００１３】
本発明によれば、個人ユーザ間でエアコンディショナの使用に関する情報を共有可能なリモートコントローラ、サーバ、プログラム及び情報処理方法を提供できるという効果が得られる。
【図面の簡単な説明】
【００１４】
【図１】本発明の実施形態における情報処理システムの構成例を示す図である。
【図２】本実施形態における情報処理システムの動作概略を示すシーケンス図である。
【図３】本実施形態におけるリモートコントローラの前面パネルの外観例を示す図である。
【図４】本実施形態におけるリモートコントローラの表示画面部における表示態様例を示す図である。
【図５】本実施形態におけるエアコンディショナの構成例を示す図である。
【図６】本実施形態におけるリモートコントローラの構成例を示す図である。
【図７】本実施形態における公開エアコンディショナ関連情報の構造例を示す図である。
【図８】本実施形態におけるサーバの構成例を示す図である。
【図９】本実施形態におけるエアコンディショナ関連情報テーブルの構造例を示す図である。
【図１０】リモートコントローラが送信した公開エアコンディショナ関連情報がサーバにより公開されるようにするための処理手順例を示すシーケンス図である。
【図１１】リモートコントローラが共有エアコンディショナ関連情報を表示するための処理手順例を示すシーケンス図である。
【図１２】リモートコントローラが共有エアコンディショナ関連履歴情報を表示するための処理手順例を示すシーケンス図である。
【発明を実施するための形態】
【００１５】
図１は、本発明の一実施形態に情報処理システムの構成例を示している。この図に示す情報処理システムは、エアコンディショナ（エアコン）１００−１、リモートコントローラ２００−１、エアコンディショナ１００−２、リモートコントローラ２００−２およびサーバ３００を備える。
【００１６】
エアコンディショナ１００−１は、部屋１に取り付けられている。エアコンディショナ１００−１は、部屋１内の空調を行う。
リモートコントローラ２００−１は、部屋１に居るユーザが上記エアコンディショナ１００−１を操作するためのものである。
エアコンディショナ１００−１とリモートコントローラ２００−１は無線による通信が可能とされている。
同様に、エアコンディショナ１００−２は部屋２に取り付けられてその室内の空調を行うものである。リモートコントローラ２００−２は、部屋２に居るユーザがエアコンディショナ１００−２を操作するためのものとなる。また、エアコンディショナ１００−２とリモートコントローラ２００−２は無線による通信が可能とされている。
なお、部屋１と部屋２は、同じ宅内にあるものとされてもよいし、遠隔した家屋ごとにあるものとされてもよい。
【００１７】
なお、エアコンディショナ１００−１と１００−２とで特に区別する必要のない場合には、エアコンディショナ１００と記載する。また、リモートコントローラ２００−１と２００−２とで特に区別しない場合には、リモートコントローラ２００と記載する。
【００１８】
サーバ３００は、ネットワークを経由してリモートコントローラ２００と通信を行う。
リモートコントローラ２００とサーバ３００との通信は、例えば無線ＬＡＮアクセスポイントなどを経由して行われるが、ここでは、図示および説明を簡単にするための便宜上、その図示を省略している。
【００１９】
次に、図２を参照して、本実施形態の情報処理システムの概略的な動作例について説明する。
まず、部屋１におけるユーザは、リモートコントローラ２００−１を操作して、冷房、暖房、除湿、換気などの運転モードの切り替えや、温度設定を行う。リモートコントローラ２００−１は、この操作に応じてエアコンディショナ１００−１をコントロールする（ステップＳ１）。また、同様にして、部屋２において、リモートコントローラ２００−２は、ユーザの操作に応じてエアコンディショナ１００−２をコントロールする（ステップＳ１−１）。
【００２０】
また、リモートコントローラ２００−１には、情報公開ボタンが設けられている。この情報公開ボタンは、エアコンディショナ１００−１の使用に関連する情報（エアコンディショナ関連情報）のサーバ３００上での公開をユーザが許可する場合に操作されるボタンである。
【００２１】
上記情報公開ボタンに対する操作が行われるのに応じて、リモートコントローラ２００−１は、当該操作を検出する（ステップＳ２）。これに応じて、リモートコントローラ２００−１は、エアコンディショナ１００−１に対応するエアコンディショナ関連情報を形成する情報要素を取得する。このために、リモートコントローラ２００−１は、エアコンディショナ１００−１から送信される所定の上記情報要素を受信する（ステップＳ３）。
【００２２】
なお、本実施形態では、以下の情報要素を利用する。つまり、リモートコントローラ２００に対する操作によりエアコンディショナ１００に設定された設定温度、エアコンディショナ１００の設置環境における室温、エアコンディショナ１００の設置環境における湿度、エアコンディショナ１００の消費電力（または消費電力量）、エアコンディショナ１００の設置環境における空気清浄度、エアコンディショナの設置環境におけるイオン濃度、および、エアコンディショナ１００の連続作動時間をそれぞれ情報要素として利用する。なお、上記の情報要素のうち、空気清浄度とイオン濃度は、エアコンディショナ１００が空気清浄機能を備えていることに応じたものである。
【００２３】
リモートコントローラ２００−１は、上記のように収集した情報要素を利用してエアコンディショナ関連情報を作成する。なお、このようにリモートコントローラ２００が作成するエアコンディショナ関連情報は、サーバ３００で公開するためのものであるため、公開エアコンディショナ関連情報ともいうことにする。そして、リモートコントローラ２００−１は、作成した公開エアコンディショナ（エアコンディショナ）関連情報をサーバ３００に対して送信する（ステップＳ４）。
【００２４】
サーバ３００は、リモートコントローラ２００−１から送信された公開エアコンディショナ関連情報を受信し、エアコンディショナ関連情報テーブルに登録する（ステップＳ５）。つまり、サーバ３００は、送信されたエアコンディショナ関連情報を受信して記憶する。このように公開エアコンディショナ関連情報がエアコンディショナ関連情報テーブルに登録されることにより、この公開エアコンディショナ関連情報が他のユーザに公開可能となる。
【００２５】
なお、この図では、図示の便宜上、リモートコントローラ２００についてはリモートコントローラ２００−１と２００−２の２つのみが示されているが、現実には、多数のリモートコントローラ２００がサーバ３００と接続されている。これらのリモートコントローラ２００が同様に公開エアコンディショナ関連情報を送信し、サーバ３００は、受信した公開エアコンディショナ関連情報をエアコンディショナ関連情報テーブルに登録する。
【００２６】
ここで、部屋２のユーザは、自分以外のユーザとエアコンディショナ関連情報を共有することが許可された共有ユーザとして登録されている。なお、部屋２のユーザが共有可能なエアコンディショナ関連情報に対応する自分以外の共有ユーザについては、予め登録されている。この共有ユーザに関する登録状況はサーバ３００が管理している。また、共有ユーザの登録は、ＳＮＳ（Social Network Service）を利用して行う。または、特定の電子メールアドレスからユーザ情報を検索することにより共有ユーザとして登録することもできる。
【００２７】
サーバ３００は、部屋２のユーザが共有を許可されている他のユーザごとのエアコンディショナ関連情報をエアコンディショナ関連情報テーブルから読み出す。そして、この検索したエアコンディショナ関連情報をリモートコントローラ２００−２に対して送信する（ステップＳ６）。なお、サーバ３００がリモートコントローラ２００に対して送信するエアコンディショナ関連情報は、ユーザが共有するためのものであることから、共有エアコンディショナ関連情報ともいうことにする。
【００２８】
なお、サーバ３００が共有エアコンディショナ関連情報を送信すべきタイミングとして、一例は、リモートコントローラ２００から送信された共有エアコンディショナ関連情報の要求に応答する場合となる。この場合において、リモートコントローラ２００は、共有エアコンディショナ関連情報の要求をユーザの操作に応じて送信するようにしてもよい。
または、リモートコントローラ２００は、共有エアコンディショナ関連情報の要求を自動で一定時間ごとに送信するようにしてもよい。または、共有エアコンディショナ関連情報の要求を受けなくとも、サーバ３００が一定時間ごとにリモートコントローラ２００に対して共有エアコンディショナ関連情報を送信するようにしてもよい。
【００２９】
部屋２におけるリモートコントローラ２００−２は、先のステップＳ１−１として示したように、部屋２のユーザの操作に応じてエアコンディショナ１００−２のコントロールを行っている。この状態のもとで、リモートコントローラ２００−２は、上記ステップＳ６送信された共有エアコンディショナ関連情報を受信することになる。そこで、リモートコントローラ２００−２は、受信した共有エアコンディショナ関連情報の内容を示す画像を表示部に表示させる（ステップＳ７）。
【００３０】
図３は、リモートコントローラ２００の外観例を示している。この図においては、リモートコントローラ２００の本体２００Ａにおける前面パネル部分が示されている。
この図に示すように、リモートコントローラ２００における前面パネルには、冷房ボタン２０１ａ、除湿ボタン２０１ｂ、暖房ボタン２０１ｃ、温度ボタン２０１ｄ、空気清浄機能ボタン２０１ｅ、情報公開ボタン２０１ｆ、停止ボタン２０１ｇおよび表示画面部２０６Ａが配置されている。また、情報公開モード指示部２０９が配置されている。
冷房ボタン２０１ａは、エアコンディショナ１００の運転を冷房に設定するための操作が行われるボタン操作子である。
除湿ボタン２０１ｂは、エアコンディショナ１００の運転を除湿に設定するための操作が行われるボタン操作子である。
暖房ボタン２０１ｃは、エアコンディショナ１００の運転を暖房に設定するための操作が行われるボタン操作子である。
温度ボタン２０１ｄは、冷房または暖房が設定されているときに、温度を設定するための操作が行われるボタンである。
空気清浄機能ボタン２０１ｅは、エアコンディショナ１００の空気清浄機能をオンオフ設定するための操作が行われるボタンである。
情報公開ボタン２０１ｆは、対応のエアコンディショナ１００のエアコンディショナ関連情報の公開を許可するための操作が行われるボタン操作子である。
停止ボタン２０１ｇは、エアコンディショナ１００の運転を停止させるためのボタンである。
表示画面部２０６Ａは、エアコンディショナ１００に対する設定状態や、共有エアコンディショナ関連情報の表示が行われる部位である。
情報公開モード指示部２０９は、リモートコントローラ２００においてエアコンディショナ関連情報の公開が許可される情報公開モードであるか否かを、その点灯と非点灯の状態により示す。この情報公開モード指示部２０９には、例えばＬＥＤ（Light Emitted Diode）が使用される。
【００３１】
図４は、表示画面部２０６Ａの表示態様例を示している。この図に示す表示画面部２０６Ａは、上側に設定状態表示領域２６１を表示し、その下側に共有エアコンディショナ関連情報表示領域２６２を表示している。
設定状態表示領域２６１は、リモートコントローラ２００のコントロールによるエアコンディショナ１００の設定状態が表示される領域である。具体的に、この図では、「冷房」、「除湿」、「暖房」、「換気」、「自動」と表示された箇所のうち、「冷房」が強調表示されていることで、現在の運転モードが「冷房」に設定されていることが示されている。また、「２６℃」の表示によって現在の設定温度が２６℃であることが示されている。
【００３２】
共有エアコンディショナ関連情報表示領域２６２は、リモートコントローラ２００が受信した共有エアコンディショナ関連情報の内容が表示される領域である。この図に示される具体例では、まず、共有エアコンディショナ関連情報表示領域２６２において、家族に分類されるユーザＡ、Ｂと、友人に分類されるユーザＣ、Ｄ、Ｅ、Ｆの計６人が共有ユーザとして示されている。
そのうえで、共有エアコンディショナ関連情報表示領域２６２は、上記の共有ユーザごとの共有エアコンディショナ関連情報として、現在に対応する最新の情報要素が以下のように示されている。つまり、室温、設定温度、湿度、消費電力量、空気清浄度、イオン濃度および連続作動時間が示されている。
なお、この図に示す表示態様例はあくまでも一例であり、他の表示態様が採られてもよい。
【００３３】
ここで、図１に示した部屋１や部屋２のユーザは、例えば自宅などで家電品としてのエアコンディショナ１００を使用する個人ユーザである。つまり、本実施形態は、個人ユーザの間で、家電品であるエアコンディショナ１００の使用に関連する情報を共有することが可能とされている。
【００３４】
そのうえで、ユーザは、上記のように共有エアコンディショナ関連情報表示領域２６２において表示される内容を見ることで、以下のような内容を把握できる。つまり、共有ユーザである家族や友人がどのようにエアコンディショナ１００に対する温度などの設定を行っているのかを把握できる。そのうえで、上記設定に応じて、エアコンディショナ１００の設置環境における室温、湿度、空気清浄度、イオン濃度、さらにエアコンディショナ１００の消費電力量がどのような状態となっているのかを把握できる。
【００３５】
そして、上記のように共有エアコンディショナ関連情報表示領域２６２において表示される情報は、以下のように利用することができる。
例えばユーザができるだけ消費電力を抑えて節電したいと思っているとする。この場合、ユーザは、共有エアコンディショナ関連情報表示領域２６２における消費電力量の低いユーザの設定温度などを参考にすることで、消費電力をさらに上手に抑えるようなエアコンディショナ１００の運転の仕方を知ることができる。また、仲間内で消費電力の削減を競うようなゲームを行っているときには、他のユーザの消費電力を知ることで、より消費電力を削減しようという動機付けにもなる。
また、共有エアコンディショナ関連情報表示領域２６２の表示内容を或る期間にわたって把握していれば、共有ユーザたちが、エアコンディショナ１００を使用したり、停止させたりする状況も把握できる。これにより、例えば共有ユーザに離れて暮らしている親や子供を登録しておくようにすれば、彼らの生活状況などもある程度把握することができる。具体例として、室温が相当に高いのに係わらず、エアコンディショナ１００を動作させている時間が短かったり、設定温度が高すぎるような場合には、そのユーザが熱中症になる可能性が高い。そこで、この表示を見たユーザは、例えば、その相手のユーザに連絡をとって、熱中症になっていないかなど健康状態を確認したり、熱中症にならないように空調の温度を下げるようにアドバイスしたりすることができる。つまり、熱中症の防止が図られる。さらに、連続作動時間が相当に長いような場合、あるいは逆に設定温度の欄が「ｏｆｆ」となって電源がオフになっていることを示す状態が相当に長いような場合には、そのユーザが何らかの理由で、普段の生活や活動をしていないことが分かる。そして、この表示を見たユーザは、この共有エアコンディショナ関連情報を提供しているユーザの安否を確認する行動を早期にとることができる。
【００３６】
また、表示態様についての図示による説明は省略するが、共有エアコンディショナ関連情報表示領域２６２には、共有ユーザに対応する過去の共有エアコンディショナ関連情報（共有エアコンディショナ関連履歴情報）を表示させることもできる。
例えば、ユーザは、リモートコントローラ２００に対する所定操作により、共有エアコンディショナ関連履歴情報の表示を指示できる。この指示に応じて、リモートコントローラ２００は共有エアコンディショナ関連履歴情報の要求をサーバ３００に送信する。サーバ３００は、上記要求に応答して、共有ユーザに対応付けられているエアコンディショナ関連履歴情報を検索する。つまり、例えば一定時間前までにおいて記憶されたエアコンディショナ関連情報、または、現在から過去までにおける一定数のエアコンディショナ関連情報を検索する。そして、このように検索した過去のエアコンディショナ関連情報を、エアコンディショナ関連履歴情報として要求元のリモートコントローラ２００に送信する。
リモートコントローラ２００は、受信した共有エアコンディショナ関連履歴情報を表示画面部２０６Ａに表示させる。
【００３７】
また、リモートコントローラ２００は、例えばユーザによる所定操作に応じて、共有エアコンディショナ関連情報表示領域２６２に表示される内容を、所定の情報要素の値に基づいてソートすることも可能とされる。一例として、消費電力量が少ない順にしたがって共有ユーザに対応する行の表示順が上から下となるようにソートして表示させることができる。この表示を見ることで、ユーザは、消費電力の節約に関する共有ユーザの順位が容易に把握できる。
【００３８】
図５は、エアコンディショナ１００の構成例を示している。エアコンディショナ１００は、設定内容保持部１０１、動作制御部１０２、センサ部１０３、消費電力算出部１０４、情報要素送信部１０５および通信部１０６を備える。
【００３９】
設定内容保持部１０１は、リモートコントローラ２００から送信され、通信部１０６により受信された設定情報を保持する。この設定情報には、例えば、リモートコントローラ２００に対する操作により設定された運転モードを示す情報や、操作により設定された温度（設定温度）などを含む。
【００４０】
動作制御部１０２は、設定内容保持部１０１に設定されている設定内容にしたがって、エアコンディショナ１００における冷房、暖房、除湿、換気、空気清浄機能などに対応する空調機能部（図示せず）の動作を制御する。
【００４１】
センサ部１０３は、公開エアコンディショナ関連情報に含まれる情報要素を収集するためのセンサとして、温度センサ１３１、湿度センサ１３２、空気清浄度センサ１３３およびイオン濃度センサ１３４を備える。
温度センサ１３１は、室温としての周囲温度を検出する。湿度センサ１３２は、周囲の湿度を検出する。空気清浄度センサ１３３は、周囲の空気清浄度を検出する。イオン濃度センサ１３４は、周囲の空気中におけるイオン濃度を検出する。
【００４２】
消費電力算出部１０４は、動作制御部１０２の動作制御状況に基づいて消費電力を算出する。また、消費電力算出部１０４は、単位時間あたりの消費電力に基づいて消費電力量を算出することも可能である。
【００４３】
情報要素送信部１０５は、エアコンディショナ１００に送信すべき情報要素を取得し、これらの取得した情報要素を通信部１０６からサーバ３００に送信する。
具体的に、図４に示される共有エアコンディショナ関連情報表示領域２６２の表示内容に対応して、情報要素送信部１０５は以下のように情報要素を取得する。つまり、情報要素送信部１０５は、設定内容保持部１０１にて保持されている設定温度を情報要素の１つとして取得する。
また、情報要素送信部１０５は、温度センサ１３１の検出出力に基づいて情報要素の１つである室温を取得する。情報要素送信部１０５は、湿度センサ１３２の検出出力に基づいて情報要素の１つである湿度を取得する。情報要素送信部１０５は、空気清浄度センサ１３３の検出出力に基づいて情報要素の１つである空気清浄度を取得する。情報要素送信部１０５は、イオン濃度センサ１３４の検出出力に基づいて情報要素の１つであるイオン濃度を取得する。また、情報要素送信部１０５は、消費電力算出部１０４が算出した消費電力量を情報要素の１つとして取得する。また、情報要素送信部１０５は、動作制御部１０２から以下の情報要素を取得する。つまり、電源がオンとされた起動日時と、電源がオンとされた後における連続作動時間をそれぞれ取得する。
そして、情報要素送信部１０５は、上記のように取得した情報要素を、通信部１０６からリモートコントローラ２００に対して送信させる。
【００４４】
通信部１０６は、リモートコントローラ２００と双方向の通信を行う部位である。この通信部１０６が対応する通信方式は特に限定されるものではないが、具体例として、赤外線による通信方式や電波による通信方式などを採用できる。
【００４５】
図６は、リモートコントローラ２００の構成例を示している。リモートコントローラ２００は、操作部２０１、エアコンディショナ制御部２０２、公開情報送信部２０３、共有情報受信部２０４、表示制御部２０５、表示部２０６、エアコンディショナ対応通信部２０７、サーバ対応通信部２０８および情報公開モード指示部２０９を備える。
【００４６】
操作部２０１は、リモートコントローラ２００に備えられる操作子を一括して示したものである。図３に示した冷房ボタン２０１ａ、除湿ボタン２０１ｂ、暖房ボタン２０１ｃ、温度ボタン２０１ｄ、空気清浄機能ボタン２０１ｅ、情報公開ボタン２０１ｆおよび停止ボタン２０１ｇは、この操作部２０１に含まれる。操作部２０１は、操作が行われた操作子に対する操作信号を出力する。
【００４７】
エアコンディショナ制御部２０２は、エアコンディショナ１００を制御する。エアコンディショナ制御部２０２は、操作部２０１に対して行われる操作に応じてエアコンディショナ１００をコントロールする。つまり、エアコンディショナ制御部２０２は、操作部２０１から出力される操作信号に応じて生成したコマンドをエアコンディショナ対応通信部２０７からエアコンディショナ１００に対して送信する。これにより、エアコンディショナ１００は、リモートコントローラ２００に対してユーザが行った操作に応じた空調等の動作を実行する。
【００４８】
公開情報送信部２０３は、公開エアコンディショナ関連情報をサーバ３００に対して送信する。具体的に、図３に示した情報公開ボタン２０１ｆに対する操作が行われたとする。これに応じて、公開情報送信部２０３は、エアコンディショナ１００に対してエアコンディショナ関連情報の情報要素を要求し、この要求に応じてエアコンディショナ１００から送信された情報要素をサーバ対応通信部２０８から入力する。公開情報送信部２０３は、この入力した情報要素を利用して公開エアコンディショナ関連情報を作成する。そして、この作成した公開エアコンディショナ関連情報をサーバ対応通信部２０８からサーバ３００に送信させる。
【００４９】
図７は、公開エアコンディショナ関連情報４００の構造の一例を示している。この図に示す公開エアコンディショナ関連情報４００は、ユーザＩＤに情報要素部を対応付けた構造を有する。
ユーザＩＤは、このリモートコントローラ２００に対応するユーザを一意に識別するための識別子である。
情報要素部は、エアコンディショナ関連情報を形成する１以上の情報要素から成る。ここでは、図３の表示に対応させて、情報要素部は、起動日時、設定温度、室温、湿度、消費電力、空気清浄度、イオン濃度、および連続作動時間の情報から成るものとしている。
これらの起動日時、設定温度、室温、湿度、消費電力、空気清浄度、イオン濃度、および連続作動時間の各々は、エアコンディショナ１００から受信した情報要素である。つまり、この図に示す公開エアコンディショナ関連情報４００は、エアコンディショナ１００から送信された情報要素にユーザＩＤを付加することにより作成されている。
そして、公開情報送信部２０３は、上記のように作成した公開エアコンディショナ関連情報４００を、サーバ対応通信部２０８によりサーバ３００に送信させる。
【００５０】
上記の説明によると、公開情報送信部２０３は、情報公開ボタン２０１ｆに対する操作に応じて公開エアコンディショナ関連情報４００を送信するようにされている。つまり、ユーザが公開エアコンディショナ関連情報４００を公開しようという意志をもって操作を行わなければ、そのユーザに対応するエアコンディショナ関連情報はサーバ３００に送信されず、したがって公開されることはない。つまり、エアコンディショナ関連情報を公開したくない場合、ユーザは、情報公開ボタン２０１ｆを操作しなければよい。これにより、公開エアコンディショナ関連情報４００がリモートコントローラ２００から送信されることはなくなり、したがって、そのユーザの公開エアコンディショナ関連情報４００が公開されないようにすることができる。
なお、情報公開ボタン２０１ｆに対する操作が一度行われるのに応じて公開情報送信部２０３は情報公開モードを設定する。そして、公開情報送信部２０３は、この情報公開モードを設定している間において行われたすべての操作に基づくエアコンディショナ関連情報を送信（アップデート）する。また、公開情報送信部２０３は、この情報公開モードを設定している間において、情報公開モード指示部２０９を継続して点灯させる。次に、この状態において情報公開ボタン２０１ｆに対する操作が再度行われるのに応じて、公開情報送信部２０３は、情報公開モードを解除する。この情報公開モードが解除されている期間において、公開情報送信部２０３は、エアコンディショナ関連情報の送信（アップデート）は行わず、また、情報公開モード指示部２０９を消灯させる。
また、公開情報送信部２０３は、情報公開ボタン２０１ｆに対する操作が行われるごとに、１回の公開エアコンディショナ関連情報４００の送信を行うようにしてもよい。または、公開エアコンディショナ関連情報４００は、１回の情報公開ボタン２０１ｆに対する操作が行われた後において、送信停止のための操作が行われるまで、例えば定期的に公開エアコンディショナ関連情報を作成し、送信することとしてもよい。
【００５１】
共有情報受信部２０４は、サーバ３００から送信された他のリモートコントローラ２００のユーザに対応するエアコンディショナ関連情報、つまり、共有エアコンディショナ関連情報を受信する。具体的に、サーバ３００からリモートコントローラ２００を宛先として送信された共有エアコンディショナ関連情報は、サーバ対応通信部２０８にて受信される。共有情報受信部２０４は、この受信された共有エアコンディショナ関連情報を入力する。
【００５２】
表示制御部２０５は、上記共有情報受信部２０４により受信された共有エアコンディショナ関連情報を表示部２０６に表示させる。つまり、図４の共有エアコンディショナ関連情報表示領域２６２の表示を行う。
また、表示制御部２０５は、エアコンディショナ制御部２０２における現在の制御状況などに基づいて、例えば図４の設定状態表示領域２６１として示したように、制御対象のエアコンディショナ１００の設定状態などを表示部２０６に表示させる。
また、前述のように、共有エアコンディショナ関連情報表示領域２６２における表示は、操作に応じてソートさせることができる。表示制御部２０５は、操作部２０１に対して行われたソートのための操作に応じて、指定の情報要素に値に基づくソート順により共有エアコンディショナ関連情報表示領域２６２における表示を変更する。
【００５３】
表示部２０６は、画像を表示する。具体的に、表示部２０６は、上記したようにエアコンディショナ１００の設定状態や、共有エアコンディショナ関連情報などの内容を示す画像を表示する。なお、表示部２０６が対応する表示デバイスとして例えば液晶ディスプレイを採用できるが、特に限定されるものではない。
【００５４】
エアコンディショナ対応通信部２０７は、エアコンディショナ１００と所定の無線通信方式により通信を行う部位である。
サーバ対応通信部２０８は、例えばネットワーク経由でサーバ３００と通信を行う部位である。
【００５５】
図８は、サーバ３００の構成例を示している。サーバ３００は、公開情報受信部３０１、記憶部３０２、共有情報送信部３０３、および通信部３０４を備える。
【００５６】
公開情報受信部３０１は、リモートコントローラ２００の各々から送信される公開エアコンディショナ関連情報４００を受信して記憶部３０２に記憶させる。
つまり、サーバ３００に対しては、共有ユーザごとに対応する複数のリモートコントローラ２００の各々から公開エアコンディショナ関連情報４００がネットワーク経由で送信されてくる。このように送信されてくる公開エアコンディショナ関連情報４００は、通信部３０４にて受信される。公開情報受信部３０１は、上記通信部３０４にて受信された公開エアコンディショナ関連情報４００を入力する。そして、入力した公開エアコンディショナ関連情報４００を記憶部３０２に記憶させる。この際、公開情報受信部３０１は、公開エアコンディショナ関連情報４００をエアコンディショナ関連情報テーブル３２０に登録するように記憶部３０２に記憶させる。
【００５７】
記憶部３０２は、上記のように受信されたエアコンディショナ関連情報を、エアコンディショナ関連情報テーブル３２０として記憶する。
図９は、エアコンディショナ関連情報テーブル３２０の構造例を示している。この図に示すエアコンディショナ関連情報テーブル３２０は、ユーザＩＤごとに情報要素部、送信先アドレス、および共有ユーザを対応付けた構造とされている。また、情報要素部は、１つのユーザＩＤに対応して複数を対応付け可能とされている。
１つの情報要素部は、１回の公開エアコンディショナ関連情報４００の受信に応じて登録される内容であり、図７に示した情報要素部と同じ情報要素を含む。つまり、エアコンディショナ関連情報テーブル３２０は、１つのユーザＩＤごとに、過去の或る日時から現在までにおいて受信した公開エアコンディショナ関連情報４００の内容が登録された構造を有する。
また、エアコンディショナ関連情報テーブル３２０における送信先アドレスは、ユーザＩＤに対応して登録されたリモートコントローラ２００に設定されたネットワークアドレス（例えばＩＰアドレスなど）を示す。
また、エアコンディショナ関連情報テーブル３２０における共有ユーザは、対応のユーザＩＤのユーザとエアコンディショナ関連情報を共有することが許可されたユーザのユーザＩＤと、ユーザＩＤごとの分類（家族、友人など）の情報を示す。
なお、記憶部３０２が対応するハードウェアとしては、例えばＨＤＤ（Hard Disc Drive）やフラッシュメモリなどとなる。
【００５８】
図８において、共有情報送信部３０３は、エアコンディショナ関連情報テーブル３２０として記憶部３０２が記憶するエアコンディショナ関連情報のうち、他のリモートコントローラのユーザのエアコンディショナ関連情報をリモートコントローラ２００に送信する。
具体例として、共有情報送信部３０３が、図９のエアコンディショナ関連情報テーブルに登録されているユーザＡに対して公開エアコンディショナ関連情報を送信すべきタイミングに至ったとする。この場合、共有情報送信部３０３は、まず、エアコンディショナ関連情報テーブル３２０を参照して、ユーザＡのユーザＩＤに対応付けられている共有ユーザが、ユーザＢ、Ｃ、Ｄ、Ｅであることを認識する。次に、共有情報送信部３０３は、エアコンディショナ関連情報テーブル３２０から、これらユーザＢ、Ｃ、Ｄ、Ｅごとに対応付けられている情報要素部の読み出しを行う。なお、この際に、共有情報送信部３０３は、共有ユーザごとの情報要素部の読み出しを行えばよいが、エアコンディショナ関連履歴情報を送信すべきときには、一定時間前の過去から最新までの情報要素部を読み出す。
そして、共有情報送信部３０３は、上記のように読み出した共有ユーザごとの情報要素部を利用して、ユーザＡのリモートコントローラ２００に送信すべき共有エアコンディショナ関連情報を作成する。
次に、共有情報送信部３０３は、エアコンディショナ関連情報テーブル３２０から、ユーザＡのユーザＩＤに対応付けられている送信先アドレスを認識する。そして、共有情報送信部３０３は、上記のように作成した共有アコンディショナ関連情報を通信部３０４から上記送信先アドレスに対して送信させる。
【００５９】
図１０のシーケンス図は、図１の部屋１内のリモートコントローラ２００−１が送信した公開エアコンディショナ関連情報４００をサーバ３００により公開させるための処理手順例を示している。
【００６０】
まず、部屋１内のリモートコントローラ２００−１における公開情報送信部２０３は、情報公開ボタン２０１ｆに対する操作がユーザにより行われるのに応じて、この操作を検出する（ステップＳ１０１）。そして、公開情報送信部２０３は、情報公開ボタン２０１ｆに対する操作を検出するのに応じて、同じ部屋１内のエアコンディショナ１００−１に対して情報要素を要求する（ステップＳ１０２）。
【００６１】
エアコンディショナ１００−１における情報要素送信部１０５は、上記情報要素の要求に応答して、前述のように情報要素を取得する。そして、取得した情報要素を、リモートコントローラ２００−１に対して送信する（ステップＳ１０３）。
【００６２】
次にリモートコントローラ２００−１における公開情報送信部２０３は、上記ステップＳ１０３により送信された情報要素を利用して、公開エアコンディショナ関連情報４００を作成する（ステップＳ１０４）。そして、この作成した公開エアコンディショナ関連情報４００を、サーバ３００に対して送信する（ステップＳ１０５）。
【００６３】
サーバ３００における公開情報受信部３０１は、上記ステップＳ１０５によって送信された公開エアコンディショナ関連情報４００を受信する。そして、この受信した公開エアコンディショナ関連情報４００を、エアコンディショナ関連情報テーブル３２０に登録するようにして記憶部３０２に対して記憶させる（ステップＳ１０６）。
【００６４】
図１１のシーケンス図は、部屋２のリモートコントローラ２００−２が共有エアコンディショナ関連情報を表示部２０６に表示させるための処理手順例を示している。
まず、リモートコントローラ２００−２における共有情報受信部２０４は、共有エアコンディショナ関連情報の要求をサーバ３００に対して送信する（ステップＳ２０１）。
なお、上記ステップＳ２０１による共有エアコンディショナ関連情報の要求の送信は、ユーザが共有エアコンディショナ関連情報の表示を指示するためのリモートコントローラ２００−２に対する操作に応じて行われるようにされればよい。または、自動で一定時間ごとに行われるようにされてもよい。さらに、サーバ３００がリモートコントローラ２００−２からの要求に係わらず、例えば一定時間ごとなどの所定タイミングで共有エアコンディショナ関連情報を送信してくるように設定されている場合には、このステップＳ２０１は省略されてよい。
【００６５】
サーバ３００における共有情報送信部３０３は、上記共有エアコンディショナ関連情報の要求の受信に応答して、以下の処理を実行する。つまり、共有情報送信部３０３は、前述のように、受信した共有エアコンディショナ関連情報の要求において示されるユーザＩＤに対応付けられた共有ユーザの情報要素部のうち、最新のものをエアコンディショナ関連情報テーブル３２０から読み出して共有エアコンディショナ関連情報を作成する（ステップＳ２０２）。
次に、共有情報送信部３０３は、この作成した共有エアコンディショナ関連情報を、リモートコントローラ２００−２に対して送信する（ステップＳ２０３）。
【００６６】
リモートコントローラ２００−２の共有情報受信部２０４は、上記ステップＳ２０３により送信された共有エアコンディショナ関連情報を受信する（ステップＳ２０４）。次に、リモートコントローラ２００−２の表示制御部２０５は、上記ステップＳ２０４により受信された共有エアコンディショナ関連情報を表示部２０６にて表示させるための制御を実行する（ステップＳ２０５）。これにより、図４の共有エアコンディショナ関連情報表示領域２６２に示したように、共有ユーザごとのエアコンディショナ関連情報についての最新の内容が表示されることになる。
【００６７】
また、表示制御部２０５は、上記ステップＳ２０５により共有エアコンディショナ関連情を表示させた後において、ソートのための操作が行われるのを待機している（ステップＳ２０６）。そして、ソートのための操作が行われたことを検出すると、表示制御部２０５は、共有エアコンディショナ関連情報表示領域２６２において、所定の情報要素の値に基づくソート順にしたがってユーザ単位の表示順が変更されるように制御を実行する（ステップＳ２０７）。
【００６８】
上記図１１に示す処理は、例えば図４の共有エアコンディショナ関連情報表示領域２６２において例示するように、共有ユーザごとに最新のエアコンディショナ関連情報の内容を配列して表示させるものであった。表示態様例についての図示による説明は省略するが、前述のように、本実施形態では、共有ユーザのエアコンディショナ関連情報についての履歴（エアコンディショナ関連履歴情報）もリモートコントローラ２００において表示させることができる。
【００６９】
図１２のシーケンス図は、部屋２のリモートコントローラ２００−２が共有エアコンディショナ関連履歴情報を表示部に表示させるための処理手順例を示している。
ここで、例えば、ユーザによる操作や、所定時間の経過などに応じて、リモートコントローラ２００−２において共有エアコンディショナ関連履歴情報を表示させるべきタイミングに至ったとする。これに応じて、リモートコントローラ２００−２における共有情報受信部２０４は、サーバ３００に対して共有エアコンディショナ関連履歴情報の要求を送信する（ステップＳ３０１）。
【００７０】
サーバ３００における共有情報送信部３０３は、上記のように送信された要求の受信に応答して、以下の処理を実行する。つまり、共有情報送信部３０３は、エアコンディショナ関連情報テーブル３２０を参照して、要求元のユーザのユーザＩＤに対応付けられている共有ユーザを認識する。そして、これらの共有ユーザに対応付けられた一定時間前の過去から最新までの情報要素部をエアコンディショナ関連情報テーブル３２０から読み出す。つまり、この場合において、読み出される情報要素部のデータは、最新のものだけではなく、一定時間前までにおける過去のものが含まれるものであり、したがって、これまでに登録されたエアコンディショナ関連情報の履歴となるものである。
そして、共有情報送信部３０３は、これらの読み出した情報要素部によりエアコンディショナ関連履歴情報を作成する（ステップＳ３０２）。次に、共有情報送信部３０３は、作成したエアコンディショナ関連履歴情報を、その要求元であるリモートコントローラ２００−２に対して送信する（ステップＳ３０３）。
【００７１】
リモートコントローラ２００−２の共有情報受信部２０４は、上記ステップＳ３０３により送信された共有エアコンディショナ関連履歴情報を受信する（ステップＳ３０４）。
次に、リモートコントローラ２００−２の表示制御部２０５は、上記ステップＳ３０４により受信された共有エアコンディショナ関連履歴情報を表示部２０６にて表示させるための制御を実行する（ステップＳ３０５）。
【００７２】
上記の処理によって、リモートコントローラ２００の表示画面部２０６Ａには、所定の表示態様によって、共有エアコンディショナ関連履歴情報を表示させることができる。
なお、上記図１２の処理では、すべての共有ユーザの共有エアコンディショナ関連履歴情報を表示させている。しかし、共有エアコンディショナ関連履歴情報の場合、一人の共有ユーザに対応する分だけでも、相当の情報量となる。そこで、例えば、予め選択した共有ユーザのみに対応する共有エアコンディショナ関連履歴情報をリモートコントローラ２００が受信して表示させるように構成してもよい。
【００７３】
また、上記実施形態において、共有エアコンディショナ関連情報表示領域２６２に表示される共有ユーザごとの表示順のソートは、リモートコントローラ２００が行うこととしている。これに対して、例えばサーバ３００側で所定の情報要素を対象としてソート順を設定した共有エアコンディショナ関連情報を送信するようにしてもよい。この場合、リモートコントローラ２００が、上記共有エアコンディショナ関連情報を表示すれば、上記のソート順の設定がそのまま反映されていることになる。
【００７４】
また、本実施形態の情報処理システムは、以下のようにサービスを運用できる。つまり、エアコンディショナ関連情報テーブル３２０に登録されたユーザごとの過去の一定期間における消費電力量を統計し、この消費電力量が少ない順にしたがってユーザに順位を与える。そして、所定の上位までのユーザに対して、例えば何らかの景品や特典などを提供するというものである。
【００７５】
また、図５、図６および図８における各部の機能を実現するためのプログラムをコンピュータ読み取り可能な記録媒体に記録して、この記録媒体に記録されたプログラムをコンピュータシステムに読み込ませ、実行することにより、これまでに説明したエアコンディショナ関連情報に対応する各種処理を行ってもよい。なお、ここでいう「コンピュータシステム」とは、ＯＳや周辺機器等のハードウェアを含むものとする。
【００７６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００７７】
以上、この発明の実施形態について図面を参照して詳述してきたが、具体的な構成はこの実施形態に限られるものではなく、この発明の要旨を逸脱しない範囲の設計等も含まれる。
【符号の説明】
【００７８】
１００…エアコンディショナ、２００…リモートコントローラ、２０１…操作部、２０２…エアコンディショナ制御部、２０３…公開情報送信部、２０４…共有情報受信部、２０５…表示制御部、２０６…表示部、２０７…エアコンディショナ対応通信部、２０８…サーバ対応通信部、３００…サーバ、３０１…公開情報受信部、３０２…記憶部、３０３…共有情報送信部、３０４…通信部
【図１】
0006257109.tif 000002
【図２】
0006257109.tif 000003
【図３】
0006257109.tif 000004
【図４】
0006257109.tif 000005
【図５】
0006257109.tif 000006
【図６】
0006257109.tif 000007
【図７】
0006257109.tif 000008
【図８】
0006257109.tif 000009
【図９】
0006257109.tif 000010
【図１０】
0006257109.tif 000011
【図１１】
0006257109.tif 000012
【図１２】
0006257109.tif 000013